(57)【要約】      （修正有）【課題】円筒状紙筒の両側面に開口した第一の貫通穴に対して所望の傾斜角を有する第二の貫通穴を円筒状紙筒の他の両側面に開けることができる円筒状紙筒用卓上穴開け器を提供する。【解決手段】円筒状紙筒の側面に丸穴を穿つ刃を先端に形成したパンチング軸と、該パンチング軸の刃が通過する軸逃げ丸穴と、該軸逃げ丸穴の直径を通る延長線の任意の位置にて該延長線に対して直角に交差させて位置付けた横向軸１６とを備えており、前記パンチング軸の押圧により円筒状紙筒の両側面を貫通して開口した第一の貫通穴に前記横向軸を挿入して当該円筒状紙筒を前記軸逃げ丸穴上に位置付けて前記パンチング軸で押圧することにより当該円筒状紙筒の他の両側面に第一の貫通穴に対して所望の傾斜角を有する第二の貫通穴を穿つことができる円筒状紙筒用卓上穴開け器１。【選択図】  図１
2004167628.tif 000002
【特許請求の範囲】
【請求項１】
上方から押圧して円筒状紙筒の側面に丸穴を穿つ刃を先端に形成したパンチング軸と該パンチング軸の軸心を通る垂直下方に開口した該パンチング軸の刃が通過する軸逃げ丸穴と該軸逃げ丸穴の直径を通る延長線上であって該延長線の任意の位置にて該延長線に対して直角に交差させて位置付けた前記パンチング軸と略同じ径の横向軸とを備えて前記パンチング軸の押圧により円筒状紙筒の両側面を貫通して開口した第一の貫通穴に前記横向軸を挿入して当該円筒状紙筒を前記軸逃げ丸穴上に位置付けて前記パンチング軸で押圧することにより当該円筒状紙筒の他の両側面に第一の貫通穴に対して所望の傾斜角を有する第二の貫通穴を穿つことができる円筒状紙筒用卓上穴開け器。
【請求項２】
軸逃げ丸穴の直径を通る延長線上に沿って往復動可能に設けられた位置決めバーと該位置決めバーの先端部に設けられて横向軸を当該延長線に対して直角に交差させた状態で当該横向軸の向きが前記位置決めバーに対して所望の傾斜角を採ることができる軸受部とを備えている請求項１記載の円筒状紙筒用卓上穴開け器。
【請求項３】
軸逃げ丸穴の直径を通る延長線上に沿って往復動可能に設けられた位置決めバーと該位置決めバーの先端部に設けられて横向軸を当該延長線に対して直角に交差させた状態で当該横向軸の向きが前記位置決めバーに対して水平な傾斜角となる軸受部とを備えている請求項１記載の円筒状紙筒用卓上穴開け器。
【発明の詳細な説明】
【０００１】
【発明の属する技術分野】
本発明は、円筒状紙筒の側面に丸穴を穿って両側面に開口した貫通穴を形成することができる円筒状紙筒用卓上穴開け器に関するものである。
【０００２】
【従来の技術】
周知の通り、打ち抜かれた丸い紙片を収容する台部と、該台部の上面に設けられた固定アーム部と、該固定アーム部に一端側が回動自在に支持されて他端側が自由端となっている操作アーム部と、前記固定アーム部において上下動可能に設けられて前記操作アーム部の回動操作により所要枚数重ねた紙面に丸穴を穿つ一対のパンチング軸とからなる、書類等を重ねて綴じるための一対の綴じ穴を開ける卓上穴開け器が汎用されている（例えば、特許文献１参照）。
【０００３】
また、前記一対のパンチング軸を結ぶ線の側方にバーを突設して該バー側のパンチング軸位置より一対の綴じ穴間規定距離の位置に該綴じ穴に嵌合させるピンを突設して書類等の紙面に綴じるための同一ピッチの四つの綴じ穴を開ける卓上穴開け器もある（例えば、特許文献２参照）。
【０００４】
【特許文献１】
特開２００２−１６９８号公報
【特許文献２】
実開平７−４００９５号公報
【０００５】
【発明が解決しようとする課題】
しかし、従来の卓上穴開け器は、いずれも一枚或いは複数枚重ねた書類等の紙面に該書類等を重ねて綴じるための少なくとも一対の綴じ穴を開けるものである。
【０００６】
本発明者は、円筒状紙筒の両側面に開口した第一の貫通穴に対して所望の傾斜角となる第二の貫通穴を円筒状紙筒の他の両側面に開けることができる円筒状紙筒用卓上穴開け器を知らない。
【０００７】
ところで、本発明者は、紙を円筒状に巻いた所望長さの組込用細筒ブロックと該組込用細筒ブロックが挿着できる内径を有する紙を円筒状に巻いた所望長さの組立用太筒ブロックとの少なくとも当該二種類のブロックを用いて組立用太筒ブロックの空洞部或いは組立用太筒ブロックの側面に開口した組込穴に組込用細筒ブロックを挿着して例えば図８に図示する立体創造物３０を組み立てるブロックセットにおける前記二種類のブロックを作製するための立体創造物組み立て用ブロックの作製装置であって、対面して立設されて相対する位置に軸穴が開口した一組の支持板と該軸穴に回転可能に架設して紙を巻き取って前記組込用細筒ブロックを作製する組込用紙巻取芯軸と該軸穴に回転可能に架設して紙を巻き取って前記組立用太筒ブロックを作製する該組込用紙巻取芯軸の外径より大きい外径の組立用紙巻取芯軸とを備えていることを特徴とする立体創造物組み立て用ブロックの作製装置を発明（特願２００２−３０３３９１号）している。当該発明の実施に当たり、紙を円筒状に巻いた円筒状紙筒の両側面に開口した第一の貫通穴に対して所望の傾斜角となる第二の貫通穴を円筒状紙筒の他の両側面に開けることができる円筒状紙筒用卓上穴開け器を用いれば、当該立体創造物組み立て用ブロックの作製装置により作製された組立用太筒ブロックの側面に組込穴同志が所望の傾斜角となる組込用細筒ブロックを挿着するための組込穴を容易に形成することができる。
【０００８】
そこで、本発明は、第一の貫通穴に対して所望の傾斜角を有する第二の貫通穴を円筒状紙筒の他の両側面に容易に開けることができる円筒状紙筒用卓上穴開け器とを提供することを技術的課題とするものである。
【０００９】
【課題を解決するための手段】
前記技術的課題は、次の通りの本発明によって解決できる。
【００１０】
即ち、本発明に係る円筒状紙筒用卓上穴開け器は、上方から押圧して円筒状紙筒の側面に丸穴を穿つ刃を先端に形成したパンチング軸と、該パンチング軸の軸心を通る垂直下方に開口した該パンチング軸の刃が通過する軸逃げ丸穴と、該軸逃げ丸穴の直径を通る延長線上であって該延長線の任意の位置にて該延長線に対して直角に交差させて位置付けた前記パンチング軸と略同じ径の横向軸とを備えており、前記パンチング軸の押圧により円筒状紙筒の両側面を貫通して開口した第一の貫通穴に前記横向軸を挿入して当該円筒状紙筒を前記軸逃げ丸穴上に位置付けて前記パンチング軸で押圧することにより当該円筒状紙筒の他の両側面に第一の貫通穴に対して所望の傾斜角を有する第二の貫通穴を穿つことができるものである。
【００１１】
また、本発明は、前記円筒状紙筒用卓上穴開け器において、軸逃げ丸穴の直径を通る延長線上に沿って往復動可能に設けられた位置決めバーと、該位置決めバーの先端部に設けられて横向軸を当該延長線に対して直角に交差させた状態で当該横向軸の向きが前記位置決めバーに対して所望の傾斜角を採ることができる軸受部とを備えているものである。
【００１２】
さらに、本発明は、前記円筒状紙筒用卓上穴開け器において、軸逃げ丸穴の直径を通る延長線上に沿って往復動可能に設けられた位置決めバーと該位置決めバーの先端部に設けられて横向軸を当該延長線に対して直角に交差させた状態で当該横向軸の向きが前記位置決めバーに対して水平な傾斜角となる軸受部とを備えているものである。
【００１３】
【発明の実施の形態】
以下、本発明の実施の形態を図面に基づき説明する。
【００１４】
実施の形態１．
【００１５】
図１は本発明の実施の形態に係る円筒状紙筒用卓上穴開け器を示す斜視図、図２はパンチング軸と軸逃げ丸穴との位置関係を説明する円筒状紙筒用卓上穴開け器の一部省略透視縦断面図、図３は固定アーム部と操作アーム部とを透視して図示した円筒状紙筒用卓上穴開け器の一部省略平面図、図４は軸逃げ丸穴と横向軸とを図示した円筒状紙筒用卓上穴開け器の一部省略斜視図であり、これらの図において、１は、打ち抜かれた丸い紙片を収容する中空の台部２と、該台部２の上面に設けられた棚部３に固定されたＵ字型固定アーム部４と、該固定アーム部４の前方端部にて回動自在に軸着された支持軸５に一端側が支持されて該支持軸５を中心として他端側が上下動可能な自由端となってコイルスプリング６（図２参照）により上方に弾発されている操作アーム部７と、支持軸５の後上方側にて平行に並べて位置付けて操作アーム部７に軸着した、該操作アーム部７の上下動作により固定アーム部４の両側壁４ａ，４ａに設けられた縦長の楕円状スロット穴８，８を上下動する可動軸９と、該可動軸９に回動自在に軸着されて操作アーム部７の上下動作により上方から円筒状紙筒１０（図４参照）の側面を押圧して該側面に丸穴を穿つ刃１１ａ  を先端に形成したパンチング軸１１と、パンチング軸１１の軸心１２（図４参照）を通る垂直下方に開口したパンチング軸１１の刃１１ａ  が通過する軸逃げ丸穴１３と、該軸逃げ丸穴１３の直径を通る延長線１４（図３参照）上に沿って往復動可能に前記台部２を貫いて設けられた上面に目盛りが形成されている位置決めバー１５と、該軸逃げ丸穴１３の直径を通る延長線１４上であって該延長線１４の任意の位置にて該延長線１４に対して直角に交差させて位置付けた前記パンチング軸１１と略同じ径の横向軸１６と、該横向軸１６を当該延長線１４に対して直角に交差させた状態で当該横向軸１６の向きが前記位置決めバー１５に対して水平な傾斜角となるように該位置決めバー１５の先端部１５ａ  に固定して設けられたＬ型軸受部１７とを備えている円筒状紙筒用卓上穴開け器（以下、単に「穴開け器」という。）である。
【００１６】
そして、前記横向軸１６は、図１及び図３に示すように、Ｌ型軸受部１７の立設部１７ａ  に固定されて根元側を円柱形状に残して台部２側を向く側面部を半円柱状に切除した直径を通る偏平面１６ａ  を有する半円柱形状となっており、また、台部２における軸逃げ丸穴１３の前方表面には、位置決めバー１５の目盛りを目視できる小窓１８が設けられている。これにより、円筒状紙筒１０の先端面を横向軸１６における半円柱の偏平面１６ａ  に当接させれば、該先端面からパンチング軸１１の位置までの距離が小窓１８に表れるようになっている。
【００１７】
本実施の形態に係る穴開け器１では、円筒状紙筒１０を軸逃げ丸穴１３の上に位置付けた後、図２に示すように、支持軸５を中心として操作アーム部７を下方へ回転させて円筒状紙筒１０の側面を上方から押圧し、パンチング軸１１の刃１１ａ  により円筒状紙筒１０の側面を穿って両側面に開口する第一の貫通穴１９を形成する。続いて、第一の貫通穴１９に横向軸１６を挿入し、円筒状紙筒１０の他の側面を軸逃げ丸穴１３上に位置付けて位置決めバー１５を往復動させて小窓１８に表れる目盛りの数値から横向軸１６から軸逃げ丸穴１３までの所望の距離を得た後、パンチング軸１１で押圧して円筒状紙筒１０の他の両側面を貫通して開口する第二の貫通穴を形成する。
【００１８】
本実施の形態では、横向軸１６を前記延長線１４に対して直角に交差させた状態で当該横向軸１６の向きが前記位置決めバーに対して水平な傾斜角となるようにＬ型軸受部１７に固定されているので、前記第一の貫通穴１９を横向軸１６に挿着すれば、円筒状紙筒１０の他の両側面に第一の貫通穴１９に対して直角に交差する傾斜角を有する第二の貫通穴を容易に穿つことができる。
【００１９】
なお、パンチング軸１１の刃１１ａ  と軸逃げ丸穴１３との間隔が円筒状紙筒１０の縦断面形状を円形状のままで位置付けることができる間隔を有している場合の外、円筒状紙筒１０の縦断面形状を楕円形状に潰さなければ、位置付けることができない間隔を有している場合であってもよく、さらに、平たく潰さなければ、位置付けることができない間隔を有している場合であってもよい。従って、横向軸１６は延長線１４の上方において直角に交差している。
【００２０】
また、棚板３の代わりに、台部２の表面が丘状に隆起した形状となっており、該丘状隆起部の高さによりパンチング軸１１の刃１１ａ  と軸逃げ丸穴１３との前記間隔が形成されていてもよい。
【００２１】
さらに、円筒状紙筒１０は、紙を円筒状に巻き取って円筒状に形成した紙筒の外、原形が円筒形状となっている紙筒であってもよい。
【００２２】
実施の形態２．
【００２３】
本実施の形態は、前記実施の形態１における軸受部１７の変形例であり、図５は軸受部を示す斜視図、図６は図５に図示する軸受部の縦断面図であり、これらの図において、図１〜図４と同一符号は同一又は相当部分を示し、２１は、真円に沿って細幅帯状に形成されている円筒の略１／４  の側壁を切り欠いた縦断面Ｃ型円筒形であって切り欠き開口両側端から略１／４  の両側壁を残して該側壁の幅方向中央位置の円周に沿って９０度を越える円周角で細幅状に開口したスライド溝２２が形成されているガイドレール２３と、該ガイドレール２３に内接して該ガイドレール２３を同心円として回動可能に装着された、該ガイドレール２３における真円の半径に届かない高さでガイドレール２３からはみ出さない幅の半円柱状作動カム２４と、該作動カム２４の偏平側壁２４ａ  の中央に立設された、図２に示す前記パンチング軸１１と略同じ径でガイドレール２３に接触しない高さの円柱状横向軸２５と、該横向軸２５の軸心に沿って作動カム２４の円周側面から該作動カム２４の内方に向かって形成された螺子穴２４ａ  （図６参照）にガイドレール２３の外方からスライド溝２２を通して当該螺子穴２４ａ  に螺着されたボルト型ストッパー２６とから構成されている軸受部である。
【００２４】
そして、前記軸受部２１は、図５に示すように、前記横向軸２５が軸逃げ丸穴１３の直径を通る延長線１４上であって該延長線１４の任意の位置にて該延長線１４に対して直角に交差するように位置決めバー１５の先端部１５ａ  に設けられている。即ち、図６に示すように、軸受部２１のガイドレール２３は位置決めバー１５の長手方向に対して直交するように該位置決めバー１５の先端部１５ａ  に固定されており、スライド溝２２の上端はストッパー２６を平行に位置付けることにより横向軸２５の向きを位置決めバー１５に対して水平な傾斜角とすることができる位置（図６においてＡの位置）となっており、スライド溝２２の下端はストッパー２６を垂直に位置付けることにより横向軸２５の向きを位置決めバー１５に対して垂直な傾斜角とすることができる位置（図６においてＢの位置）となっており、ストッパー２６は前記Ａの位置からＢの位置までの間の任意の位置に固定ナット２７により固定することができ、これにより、横向軸２５は該横向軸２５を延長線１４に対して直角に交差させた状態で横向軸２５の向きを位置決めバー１５に対して所望の傾斜角とすることができるようになっている。
【００２５】
本実施の形態では、円筒状紙筒１０の他の両側面に第一の貫通穴１９に対して所望の傾斜角を有する第二の貫通穴を穿つことができる。
【００２６】
実施の形態３．
【００２７】
本実施の形態は、前記実施の形態１における軸受部１７の変形例であり、図７は軸受部を示す斜視図、同図において、図１〜図４と同一符号は同一又は相当部分を示し、本実施の形態におけるＬ型軸受部１７の立設部１７ａ  には前記実施の形態１と同様に、根元側を円柱形状に残して台部２側を向く側面部を半円柱状に切除した直径を通る偏平面１６ａ  を有する半円柱形状横向軸１６が設けられている。そして、当該立設部１７ａ  に対して直角に形成されたＬ型軸受部１７の台板部１７ｂ  には位置決めバー１５の先端部１５ａ  を挿着するための嵌込口２８が当該台板部１７ｂ  を貫いて形成されており、半円柱形状横向軸１６が位置決めバー１５に対して前記実施の形態１における横向軸１６と同様の位置となるように嵌込口２８に位置決めバー１５の先端部１５ａ  を挿着すれば、半円柱形状横向軸１６は延長線１４に対して直角に交差した状態となって半円柱形状横向軸１６の向きが前記位置決めバー１５に対して水平な傾斜角となるように位置付けられる。
【００２８】
なお、前記嵌込口２８を挟んで立設部１７ａ  とは反対側の台板部１７ｂ  の位置には、前記半円柱形状横向軸１６と同一形状の半円柱形状軸２９が該半円柱形状軸２９の偏平面２９ａ  を前記半円柱形状横向軸１６の偏平面１６ａ  とは反対向きに向けて立設されており、該半円柱形状軸２９が半円柱形状横向軸１６側に位置付けられるように嵌込口２８に位置決めバー１５の先端部１５ａ  を挿着してＬ型軸受部１７を位置決めバー１５に装着すれば、半円柱形状軸２９は延長線１４に対して直角に交差した状態で位置決めバー１５に対しては垂直な位置関係になるように位置付けられる。従って、当該半円柱形状軸２９に第一の貫通穴１９を挿入して円筒状紙筒１０の他の側面に第二の貫通穴を形成すれば、第二の貫通穴は第一の貫通穴１９に対して平行に形成される。
【００２９】
本実施の形態では、軸受部１７が位置決めバー１５に対して着脱可能になっており、本実施の形態においても、前記実施の形態１と同様の効果を奏することができる。
【００３０】
【発明の効果】
本発明によれば、円筒状紙筒の両側面に開口した第一の貫通穴に対して所望の傾斜角を有する第二の貫通穴を円筒状紙筒の他の両側面に容易に開けることができる円筒状紙筒用卓上穴開け器を提供することができる。
【００３１】
従って、本発明の産業上利用性は非常に高いといえる。
【図面の簡単な説明】
【図１】本発明の実施の形態に係る円筒状紙筒用卓上穴開け器を示す斜視図である。
【図２】パンチング軸と軸逃げ丸穴との位置関係を説明する円筒状紙筒用卓上穴開け器の一部省略透視縦断面図である。
【図３】固定アーム部と操作アーム部とを透視して図示した円筒状紙筒用卓上穴開け器の一部省略平面図である。
【図４】軸逃げ丸穴と横向軸とを図示した円筒状紙筒用卓上穴開け器の一部省略斜視図である。
【図５】軸受部を示す斜視図である。
【図６】図５に図示する軸受部の縦断面図である。
【図７】軸受部を示す斜視図である。
【図８】立体創造物を示す斜視図である。
【符号の説明】
１  円筒状紙筒用卓上穴開け器
２  台部
４  固定アーム部
５  支持軸
７  操作アーム部
９  可動軸
１０  円筒状紙筒
１１  パンチング軸
１３  軸逃げ丸穴
１４  延長線
１５  位置決めバー
１６，２５  横向軸
１７  Ｌ型軸受部
２１  軸受部
２２  スライド溝
２３  ガイドレール
２４  半円柱状作動カム
２６  ボルト型ストッパー
２８  嵌込口
２９  半円柱形状軸
３０  レーシングカー状の立体創造物
【図１】
2004167628.tif 000003
【図２】
2004167628.tif 000004
【図３】
2004167628.tif 000005
【図４】
2004167628.tif 000006
【図５】
2004167628.tif 000007
【図６】
2004167628.tif 000008
【図７】
2004167628.tif 000009
【図８】
2004167628.tif 000010